(57)【特許請求の範囲】
【請求項１】
一側にスロットが形成された端末機本体と、
前記端末機本体に装着され、前記スロットを介して外部機器を接続できるように形成されるソケットと、
前記ソケットを露出又は遮蔽するように前記端末機本体に結合されるスライドドアと、
前記ソケットの一側に備えられ、前記スライドドアの移動をガイドするガイド部と、を含み、
前記スライドドアは、
板状のベースと、
前記ベースの前面から突出し、前記スロットを介して外部に露出する操作部と、
前記ガイド部に沿ってスライド移動可能に形成され、前記板状のベースにより遮蔽されるように前記ベースの背面に結合されるレール部と、を含み、
前記レール部は、
前記ベースの両側端でそれぞれ折り曲げられ、前記ガイド部の両側端を囲むように形成されるレールと、
前記レールの間に備えられ、前記レール部の一部が対向する前記ガイド部に向かって折り曲げられて弾性的に変形可能な片持ち梁状に形成されるストッパと、を含み、
前記ガイド部は、
前記ストッパを収容するように前記ベースにより遮蔽される一面より凹んで形成され、前記ストッパの移動をガイドする溝レールと、
前記溝レールの一側に形成され、前記スライドドアが前記ソケットを遮蔽した状態で前記ストッパが係止される第１溝と、
前記溝レールの他側に形成され、前記スライドドアが前記ソケットを露出させた状態で前記ストッパが係止される第２溝と、を含む、移動端末機。
【請求項２】
前記端末機本体の外観を形成するケースをさらに含み、
前記スロットが前記ケースに形成される、請求項１に記載の移動端末機。
【請求項３】
前記操作部は、前記ベースの正面から円柱状に突出する、請求項２に記載の移動端末機。
【請求項４】
前記操作部の正面に複数の円形の溝状に陰刻される多重同心円パターンが形成される、請求項３に記載の移動端末機。
【請求項５】
前記スロットから離隔した位置で前記ケースの一面から突設される押圧操作部をさらに含み、
前記押圧操作部は、円柱状に形成され、外部に露出する一面に複数の円形の溝状に陰刻される多重同心円パターンが形成される、請求項４に記載の移動端末機。
【請求項６】
前記操作部は、前記スライドドアをスライド移動させることができるように形成され、
前記押圧操作部は、プッシュ入力されて前記端末機本体に予め設定された機能のいずれか１つを行うことができるように形成される、請求項５に記載の移動端末機。
【請求項７】
前記ベースは、前記操作部の背面に形成された突起を挿入できるように、前記突起に対応する形状に形成される貫通孔をさらに含む、請求項３に記載の移動端末機。
【請求項８】
前記ベースと前記操作部とは、溶接により結合されて一体に形成される、請求項７に記載の移動端末機。
【請求項９】
前記操作部が加圧される際に前記操作部が結合される前記ベースの一部が前記端末機本体の内側に変形することを減少させるように前記ベースの背面に結合される支持部をさらに含む、請求項３に記載の移動端末機。
【請求項１０】
前記ベースとの摩擦力を低減できるように、前記ベースと接触する前記ガイド部の一面に形成される潤滑部材をさらに含む、請求項１に記載の移動端末機。
【請求項１１】
前記潤滑部材は、前記端末機本体からの熱や電気が前記ベースに伝達されることを防止するように、不導体からなる、請求項１０に記載の移動端末機。
【請求項１２】
接続される外部機器の種類を表示するように前記ベースの正面に陰刻又は陽刻で形成される表示部をさらに含む、請求項１に記載の移動端末機。
【請求項１３】
前記端末機本体の背面に装着される電源供給部を覆うように前記端末機本体に結合されるバッテリケースをさらに含み、
前記バッテリケースのいずれかの一側面に、隣接する前記バッテリケースの一部分及び前記端末機本体の一部分に対して段差を有するようにグルーブ部が形成される、請求項１に記載の移動端末機。
【請求項１４】
前記グルーブ部は、照射される光に対して第１反射係数を有するように形成され、前記グルーブ部に隣接して突出する前記バッテリケースの一部分及び前記端末機本体の一部分は、前記第１反射係数より高い第２反射係数を有するように形成される、請求項１３に記載の移動端末機。
【発明の詳細な説明】
【技術分野】
【０００１】
本発明は、外部機器を接続できるように形成されるソケットを備える移動端末機に関する。
【背景技術】
【０００２】
移動端末機は、機能が多様化することにより、例えば写真や動画像の撮影、音楽や動画像ファイルの再生、ゲーム、放送受信などの複合的な機能を備えたマルチメディア機器の形で実現されている。
【０００３】
このような移動端末機の機能のサポート及び増大のために、移動端末機のハードウェアの部分及び／又はソフトウェアの部分で様々な試みがなされている。一例として、移動端末機は、外部機器とのデータ送受信のためのデータポート、及び外部からの電源供給のための電源ポートを備えることもある。
【０００４】
このようなソケットは、外部に直接露出するように構成されることもあり、別途の部材により遮蔽された状態で操作により選択的に外部に露出するように構成されることもある。後者、特にスライドドアがスライド移動してソケットを露出又は遮蔽する構造において、スライドドアの作動及び固定のための一般的なレール状の構造は、複雑であり、寸法管理が難しく、移動端末機のスリム化を阻害する。
【発明の概要】
【発明が解決しようとする課題】
【０００５】
本発明の目的は、従来とは異なるスライドドアタイプのソケット開閉構造を備える移動端末機を提供することにある。
【０００６】
本発明の他の目的は、より単純な構造によりスリム化した移動端末機を提供することにある。
【課題を解決するための手段】
【０００７】
上記目的を達成するために、本発明の一実施形態による移動端末機は、一側にスロットが形成された端末機本体と、端末機本体に装着され、スロットを介して外部機器を接続できるように形成されるソケットと、ソケットを露出又は遮蔽するように端末機本体に結合されるスライドドアと、端末機本体の内側に形成され、スライドドアの移動をガイドするガイド部とを含み、スライドドアは、板状のベースと、ベースの前面から突出し、スロットを介して外部に露出する操作部と、ガイド部に沿ってスライド移動可能に形成され、板状のベースにより遮蔽されるようにベースの背面に結合されるレール部と、を含む。
【０００８】
本発明の一例によれば、レール部は、ベースの両側端で折り曲げられてガイド部の少なくとも一部を囲むように形成されるレールを含んでもよい。
【０００９】
本発明の一例によれば、レール間にはストッパが形成され、ストッパはレール部の一側でガイド部に形成された溝に向かって折り曲げられるようにしてもよい。
【００１０】
本発明の一例によれば、ガイド部は、スライドドアがソケットを遮蔽した状態でストッパと結合される第１溝と、スライドドアがソケットを露出させた状態でストッパと結合される第２溝とを含んでもよい。
【００１１】
本発明の一例によれば、端末機本体の外観を形成するケースをさらに含み、スロットはケースに形成されるようにしてもよい。
【００１２】
本発明の一例によれば、スライドドアは、ベースの正面から円柱状に突出する操作部をさらに含んでもよい。
【００１３】
本発明の一例によれば、操作部の正面に複数の円形の溝状に陰刻される多重同心円パターンが形成されてもよい。
【００１４】
本発明の一例によれば、スロットから離隔した位置でケースの一面から突設される押圧操作部をさらに含み、押圧操作部は、円柱状に形成され、外部に露出する一面に複数の円形の溝状に陰刻される多重同心円パターンが形成されてもよい。
【００１５】
本発明の一例によれば、操作部は、スライドドアをスライド移動させることができるように形成され、押圧操作部は、プッシュ入力されて端末機本体に予め設定された機能のいずれか１つを行うことができるように形成されてもよい。
【００１６】
本発明の一例によれば、ベースは、操作部の背面に形成された突起を挿入できるように、突起に対応する形状に形成される貫通孔をさらに含んでもよい。
【００１７】
本発明の一例によれば、ベースと操作部とは、溶接（ウェルディング）により結合されて一体に形成されてもよい。
【００１８】
本発明の一例によれば、操作部が加圧される際に操作部が結合されるベースの一部が端末機本体の内側に変形することを減少させるようにベースの背面に結合される支持部をさらに含んでもよい。
【００１９】
本発明の一例によれば、ベースとの摩擦力を低減できるように、ベースと接触するガイド部の一面に形成される潤滑部材をさらに含んでもよい。
【００２０】
本発明の一例によれば、潤滑部材は、端末機本体からの熱や電気がベースに伝達されることを防止するように、不導体からなってもよい。
【００２１】
本発明の一例によれば、接続される外部機器の種類を表示するようにベースの正面に陰刻又は陽刻で形成される表示部をさらに含んでもよい。
【００２２】
本発明の一例によれば、端末機本体の背面に装着される電源供給部を覆うように端末機本体に結合されるバッテリケースをさらに含み、バッテリケースのいずれかの一側面に、隣接するバッテリケースの一部分及び端末機本体の一部分に対して段差を有するようにグルーブ部が形成されてもよい。
【００２３】
本発明の一例によれば、グルーブ部は、照射される光に対して第１反射係数を有するように形成され、グルーブ部に隣接して突出するバッテリケースの一部分及び端末機本体の一部分は、第１反射係数より高い第２反射係数を有するように形成されてもよい。
【００２４】
そして、上記目的を達成するために、本発明の他の実施形態による移動端末機は、端末機本体の外観を形成するケースと、端末機本体の内部空間に配置され、外部機器を接続できるように形成されるソケットと、ケースにおいてソケットに対応する位置に貫通して形成されるスロットと、ソケットを露出又は遮蔽するようにスライド移動可能に端末機本体に結合されるスライドドアと、スライドドアと接触する一面にその摩擦力を低減できるように形成される潤滑部材を備え、スライドドアのレールと結合されるように形成されるガイド部と、スライド移動した所定の位置でガイド部に形成された溝を弾性加圧するようにスライドドアの背面に形成されるストッパとを含む。
【発明の効果】
【００２５】
このような構成の本発明によれば、従来のレール構造に比べて、より狭い空間内でソケットの開閉構造を実現することができる。
【００２６】
また、操作時にスライドドアとレール部との摩擦を低減することができ、スロットの開閉時にユーザに操作感を与えることができ、スロットが開いた状態と閉じた状態とでスライドドアを固定することができる。
【図面の簡単な説明】
【００２７】
【図１】本発明の一実施形態による移動端末機の構成を示すブロック図である。
【図２】本発明の一実施形態による移動端末機の前面斜視図である。
【図３】図２に示す移動端末機の背面斜視図である。
【図４】図３に示す移動端末機の分解斜視図である。
【図５Ａ】図４においてソケットが形成される部分の分解斜視図である。
【図５Ｂ】図５Ａの各部品が結合された状態の斜視図である。
【図６Ａ】図５Ａに示すスライドドアの分解斜視図である。
【図６Ｂ】図５Ａに示すスライドドアの正面斜視図である。
【図６Ｃ】図５Ａに示すスライドドアの背面斜視図である。
【図７】図５Ａに示すガイド部の拡大図である。
【図８Ａ】本発明の一実施形態によるスライドドアの開状態を示す図である。
【図８Ｂ】本発明の一実施形態によるスライドドアの閉状態を示す図である。
【図９】本発明の一実施形態による移動端末機の側面図である。
【発明を実施するための形態】
【００２８】
以下、本発明による移動端末機について添付図面を参照して詳細に説明する。以下の説明で用いられる構成要素の接尾辞である「モジュール」及び「部」は、明細書の作成を容易にするために付与又は混用されるものであり、それ自体が有意性や有用性を有するものではない。本明細書においては、異なる実施形態であっても同一又は類似の構成要素には同一又は類似の符号を付し、その説明は最初の説明を援用する。本明細書で用いられる単数の表現は、特に断らない限り、複数の表現を含む。
【００２９】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーションなどが含まれる。しかしながら、本明細書に記載される実施形態による構成は、移動端末機にのみ適用可能な場合を除き、デジタルテレビ、デスクトップコンピュータなどの固定端末機にも適用できることを、本発明の属する技術の分野における通常の知識を有する者であれば容易に理解できるであろう。
【００３０】
図１は本発明の一実施形態による移動端末機の構成を示すブロック図である。
移動端末機１００は、無線通信部１１０、Ａ／Ｖ（Audio/Video）入力部１２０、ユーザ入力部１３０、感知部１４０、出力部１５０、メモリ１６０、インタフェース部１７０、制御部１８０、電源供給部１９０などを含む。図１に示す全ての構成要素が必須構成要素であるわけではなく、本発明による移動端末機は、図示の構成要素よりも多い構成要素で実現してもよく、それより少ない構成要素で実現してもよい。
【００３１】
以下、構成要素について順次説明する。
無線通信部１１０は、移動端末機１００と無線通信システム間の無線通信、又は移動端末機１００と移動端末機１００の位置するネットワーク間の無線通信を可能にする少なくとも１つのモジュールを含んでもよい。例えば、無線通信部１１０は、放送受信モジュール１１１、移動通信モジュール１１２、無線インターネットモジュール１１３、近距離通信モジュール１１４、位置情報モジュール１１５などを含んでもよい。
【００３２】
放送受信モジュール１１１は、放送チャネルを介して、外部の放送管理サーバから放送信号及び／若しくは放送関連情報を受信する。
【００３３】
放送チャネルは、衛星チャネル及び地上波チャネルを含んでもよい。放送管理サーバは、放送信号及び／若しくは放送関連情報を生成して送信するサーバ、又は既に生成されて提供された放送信号及び／若しくは放送関連情報を送信するサーバを含む。
【００３４】
放送信号は、テレビ放送信号、ラジオ放送信号、データ放送信号を含むだけでなく、テレビ放送信号又はラジオ放送信号にデータ放送信号が結合した形態の放送信号も含む。
【００３５】
放送関連情報は、放送チャネル、放送番組、又は放送サービスプロバイダに関する情報を含む。放送関連情報は、移動通信網を介して提供することもでき、この場合、移動通信モジュール１１２により受信することができる。
【００３６】
放送関連情報は様々な形態で存在する。例えば、ＤＭＢ（Digital Multimedia Broadcasting）のＥＰＧ（Electronic Program Guide）、又はＤＶＢ−Ｈ（Digital Video Broadcast-Handheld）のＥＳＧ（Electronic Service Guide）などの形態で存在する。
【００３７】
放送受信モジュール１１１は、例えばＤＭＢ−Ｔ（Digital Multimedia Broadcasting-Terrestrial）、ＤＭＢ−Ｓ（Digital Multimedia Broadcasting-Satellite）、ＭｅｄｉａＦＬＯ（Media Forward Link Only）、ＤＶＢ−Ｈ、ＩＳＤＢ−Ｔ（Integrated Services Digital Broadcast-Terrestrial）などのデジタル放送システムを利用してデジタル放送信号を受信することができる。もちろん、放送受信モジュール１１１は、前述したデジタル放送システムだけでなく、他の放送システムに適合するように構成してもよい。
【００３８】
放送受信モジュール１１１により受信された放送信号及び／若しくは放送関連情報は、メモリ１６０に保存することができる。
【００３９】
移動通信モジュール１１２は、移動通信網上で基地局、外部の端末、サーバの少なくとも１つと無線信号を送受信する。無線信号は、音声呼信号、テレビ電話呼信号、又はＳＭＳ／ＭＭＳメッセージの送受信による様々な形態のデータを含む。
【００４０】
無線インターネットモジュール１１３は、無線インターネットの接続のためのモジュールであり、移動端末機１００に内蔵されるか又は外付けされる。無線インターネット技術としては、ＷＬＡＮ（Wireless LAN）、Ｗｉ−Ｆｉ（Wireless Fidelity）、Ｗｉｂｒｏ（Wireless Broadband）、ＷｉＭＡＸ（Worldwide Interoperability for Microwave Access）、ＨＳＤＰＡ（High Speed Downlink Packet Access）などを用いることができる。
【００４１】
近距離通信モジュール１１４は近距離通信のためのモジュールである。近距離通信技術としては、ブルートゥース、ＲＦＩＤ（Radio Frequency Identification）、ＩｒＤＡ（Infrared Data Association）、ＵＷＢ（Ultra Wideband）、ＺｉｇＢｅｅなどを用いることができる。
【００４２】
位置情報モジュール１１５は、移動端末機１００の位置を取得するためのモジュールであり、代表的な例としては、ＧＰＳ（Global Position System）モジュールがある。
Ａ／Ｖ入力部１２０は、オーディオ信号又はビデオ信号の入力のためのものであり、カメラ１２１やマイク１２２などを含む。カメラ１２１は、テレビ電話モード又は撮影モードでイメージセンサにより得られる静止画像又は動画像などの画像フレームを処理する。
【００４３】
そして、カメラ１２１で処理された画像フレームは、ディスプレイ部１５１に表示することができる。また、カメラ１２１で処理された画像フレームは、メモリ１６０に保存し、又は、無線通信部１１０により外部に伝送することもできる。カメラ１２１は、使用環境に応じて２つ以上備えてもよい。
【００４４】
マイク１２２は、通話モード、録音モード、又は音声認識モードなどで、マイク１２２に入力された外部の音響信号を電気的な音声データに処理する。そして、マイク１２２で処理された音声データは、通話モードの場合、移動通信モジュール１１２により移動通信基地局に送信可能な形態に変換して出力することができる。マイク１２２には、外部の音響信号が入力される過程で発生するノイズを除去するための様々なノイズ除去アルゴリズムが実現される。
【００４５】
ユーザ入力部１３０は、ユーザにより端末機の動作制御のための入力データを発生する。ユーザ入力部１３０は、キーパッド、ドームスイッチ、タッチパッド（静圧／静電）、ジョグホイール、ジョグスイッチなどで構成してもよい。
【００４６】
感知部１４０は、移動端末機１００の開閉状態、移動端末機１００の位置、移動端末機１００の方位又は加速／減速、ユーザの接触の有無などの移動端末機１００の現在の状態を感知し、移動端末機１００の動作を制御するための感知信号を発生する。例えば、移動端末機１００がスライドタイプの場合、移動端末機１００の開閉状態を感知することができる。また、電源供給部１９０から電源が供給されるか否か、インタフェース部１７０に外部機器が結合されたか否かなどを感知することもできる。一方、感知部１４０は近接センサ１４１を含んでもよい。
【００４７】
出力部１５０は、視覚、聴覚、又は触覚などに関連する出力を発生するためのものであり、ディスプレイ部１５１、音響出力モジュール１５２、アラーム部１５３、ハプティックモジュール１５４などを含む。
【００４８】
ディスプレイ部１５１は、移動端末機１００で処理される情報を表示（出力）する。例えば、移動端末機１００が通話モードの場合は、通話に関するＵＩ（User Interface）若しくはＧＵＩ（Graphic User Interface）を表示する。また、移動端末機１００がテレビ電話モード又は撮影モードの場合は、撮影及び／若しくは受信した画像、又はＵＩ、ＧＵＩを表示する。
【００４９】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイの少なくとも１つを含む。
【００５０】
これらのディスプレイの一部は、そのディスプレイから外部が見えるように、透明型又は光透過型に構成してもよい。これは透明ディスプレイとも呼ばれ、透明ディスプレイの代表的な例としてはＴＯＬＥＤ（Transparent OLED）などがある。ディスプレイ部１５１の後方構造も光透過型構造に構成してもよい。このような構造により、ユーザは端末機本体のディスプレイ部１５１が占める領域から端末機本体の後方に位置するものを見ることができる。
【００５１】
移動端末機１００の実現形態に応じて、ディスプレイ部１５１を２つ以上備えてもよい。例えば、移動端末機１００には、複数のディスプレイ部を１つの面に離隔して又は一体に配置してもよく、異なる面にそれぞれ配置してもよい。
【００５２】
ディスプレイ部１５１とタッチ動作を感知するセンサ（以下、「タッチセンサ」という）がレイヤ構造をなす場合（以下、「タッチスクリーン」という）、ディスプレイ部１５１は、出力装置の他に入力装置として使用することもできる。タッチセンサは、例えばタッチフィルム、タッチシート、タッチパッドなどの形態を有する。
【００５３】
タッチセンサは、ディスプレイ部１５１の特定部位に加わった圧力又はディスプレイ部１５１の特定部位に発生する静電容量などの変化を電気的な入力信号に変換するように構成してもよい。タッチセンサは、タッチされる位置及び面積だけでなく、タッチ時の圧力までも検出できるように構成してもよい。
【００５４】
タッチセンサへのタッチ入力がある場合、それに対応する信号がタッチ制御装置に送られる。タッチ制御装置は、その信号を処理して対応するデータを制御部１８０に送る。これにより、制御部１８０は、ディスプレイ部１５１のどの領域がタッチされたかなどが分かる。
【００５５】
タッチスクリーンにより覆われる移動端末機１００の内部領域又はタッチスクリーンの近くには、近接センサ１４１を配置してもよい。近接センサとは、電磁界の力又は赤外線を利用して、所定の検出面に近づく物体又は近傍に存在する物体の有無を機械的な接触なしに検出できるセンサをいう。近接センサは、接触式センサより寿命が長く、その活用度も高い。
【００５６】
近接センサとしては、透過型光電センサ、直接反射型光電センサ、回帰反射型光電センサ、高周波発振型近接センサ、静電容量型近接センサ、磁気近接センサ、赤外線近接センサなどがある。静電式タッチスクリーンは、ポインタの近接による電界の変化からポインタの近接を検出するように構成される。この場合、タッチスクリーン（タッチセンサ）は近接センサにも分類される。
【００５７】
以下、説明の便宜上、ポインタをタッチスクリーン上に接触させるのではなく近接させてポインタがタッチスクリーン上に位置することを認識させることを「近接タッチ（proximity touch）」といい、ポインタをタッチスクリーン上に実際に接触させることを「接触タッチ（contact touch）」という。ポインタにより近接タッチされるタッチスクリーン上の位置とは、ポインタが近接タッチされる際にポインタがタッチスクリーンに対して垂直に対応する位置を意味する。
【００５８】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知する。感知された近接タッチ動作及び近接タッチパターンに関する情報は、タッチスクリーン上に出力することができる。
【００５９】
音響出力モジュール１５２は、呼受信モード、通話モード、録音モード、音声認識モード、又は放送受信モードなどで、無線通信部１１０から受信するか、又はメモリ１６０に保存されたオーディオデータを出力する。音響出力モジュール１５２は、移動端末機１００で実行される機能（例えば、呼信号受信音、メッセージ受信音など）に関連する音響信号も出力する。このような音響出力モジュール１５２は、レシーバ、スピーカ、ブザーなどを含む。
【００６０】
アラーム部１５３は、移動端末機１００のイベント発生を通知するための信号を出力する。移動端末機１００で発生するイベントとしては、呼信号受信、メッセージ受信、キー信号入力、タッチ入力などがある。アラーム部１５３は、ビデオ信号やオーディオ信号以外に、他の形態、例えば振動でイベント発生を通知するための信号を出力することもできる。ビデオ信号又はオーディオ信号は、ディスプレイ部１５１又は音響出力モジュール１５２により出力することもできるので、ディスプレイ部１５１及び音響出力モジュール１５２はアラーム部１５３の一部にも分類される。
【００６１】
ハプティックモジュール１５４は、ユーザが感じることのできる様々な触覚効果を発生する。ハプティックモジュール１５４が発生する触覚効果の代表的な例としては振動がある。ハプティックモジュール１５４が発生する振動の強度やパターンなどは制御可能である。例えば、異なる振動を合成して出力することもでき、順次出力することもできる。
【００６２】
ハプティックモジュール１５４は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００６３】
ハプティックモジュール１５４は、直接的な接触により触覚効果を伝えることができるだけでなく、ユーザが指や腕などの筋感覚により触覚効果を感じるように実現することもできる。ハプティックモジュール１５４は、移動端末機１００の構成態様に応じて２つ以上備えてもよい。
【００６４】
メモリ１６０は、制御部１８０の動作のためのプログラムを保存することもでき、入出力されるデータ（例えば、電話帳、メッセージ、静止画像、動画像など）を一時保存することもできる。メモリ１６０は、タッチスクリーンのタッチ入力時に出力される様々なパターンの振動及び音響に関するデータを保存することもできる。
【００６５】
メモリ１６０は、フラッシュメモリタイプ、ハードディスクタイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク、光ディスクの少なくとも１つのタイプの記憶媒体を含む。移動端末機１００は、インターネット上でメモリ１６０の保存機能を実行するウェブストレージに関連して動作することもできる。
【００６６】
インタフェース部１７０は、移動端末機１００に接続される全ての外部機器との通路の役割を果たす。インタフェース部１７０は、外部機器からデータを受信するか、供給された電源を移動端末機１００内部の各構成要素に送るか、又は移動端末機１００内部のデータを外部機器に送信する。インタフェース部１７０は、例えば有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートなどを含む。
【００６７】
識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。識別モジュールが備えられた装置（以下、識別装置という）は、スマートカード形式で製造してもよい。よって、識別装置は、ポートを介して移動端末機１００に接続することができる。
【００６８】
インタフェース部１７０は、移動端末機１００が外部のクレードルに接続された場合、クレードルからの電源が移動端末機１００に供給される通路となり、ユーザによりクレードルから入力される各種命令信号が移動端末機１００に伝達される通路となる。クレードルから入力される各種命令信号又は電源は、移動端末機１００がクレードルに正しく取り付けられたことを認知するための信号としても機能する。
【００６９】
通常、制御部１８０は、移動端末機１００の全般的な動作を制御する。例えば、音声通話、データ通信、テレビ電話などに関連する制御及び処理を行う。また、制御部１８０は、マルチメディアを再生するためのマルチメディアモジュール１８１を備えてもよい。マルチメディアモジュール１８１は、制御部１８０内に実現してもよく、制御部１８０とは別に実現してもよい。
【００７０】
さらに、制御部１８０は、タッチスクリーン上で行われる手書き入力及び手描き入力をそれぞれ文字及び画像として認識するパターン認識処理を行う。
【００７１】
電源供給部１９０は、制御部１８０の制御下で、供給された外部の電源、内部の電源を各構成要素に必要に応じて供給する。
【００７２】
ここに説明される様々な実施形態は、例えばソフトウェア、ハードウェア、又はこれらの組み合わせにより、コンピュータ又はこれと類似の装置で読み取りが可能な記録媒体内で実現することができる。
【００７３】
ハードウェア的な実現においては、ここに説明される実施形態は、ＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、制御装置、マイクロコントローラ、マイクロプロセッサ、その他の機能実行のための電気的なユニットの少なくとも１つを用いて実現してもよい。一部の場合、これらの実施形態は制御部１８０により実現してもよい。
【００７４】
ソフトウェア的な実現においては、ここに説明される手順や機能などの実施形態は、別のソフトウェアモジュールで実現してもよい。各ソフトウェアモジュールは、ここに説明される１つ以上の機能又は動作を行うようにしてもよい。ソフトウェアコードは、適切なプログラム言語で記述されたソフトウェアアプリケーションにより実現してもよい。また、ソフトウェアコードは、メモリ１６０に保存し、制御部１８０により実行してもよい。
【００７５】
図２は本発明の一実施形態による移動端末機の前面斜視図であり、図３は図２に示す移動端末機の背面斜視図である。
図２及び図３を参照すると、移動端末機２００はストレートタイプの端末機本体を備えている。ただし、本発明は、これに限定されるものではなく、２つ以上の本体が相対移動可能に結合されるスライドタイプ、折り畳みタイプ、スイングタイプなどの様々な構造に適用可能である。さらに、本明細書で説明される移動端末機は、カメラ及びフラッシュを有する携帯電子装置、例えば、携帯電話、スマートフォン、ノートパソコン、デジタル放送端末機、ＰＤＡ、ＰＭＰなどに適用することができる。
【００７６】
端末機本体は、移動端末機２００の外観を形成するケース（ケーシング、ハウジング、カバーなど）を含む。本実施形態のケースは、フロントケース２０１と、フロントケース２０１とは反対となる面を覆うリアケース２０２（図４参照）と、リアケース２０２に結合されて移動端末機２００の背面を構成するバッテリケース２０３とを含む。フロントケース２０１とリアケース２０２との間に形成された空間には、各種電子部品が内蔵される。ケースは、合成樹脂を射出して形成してもよく、金属材、例えばステンレススチール（ＳＴＳ）やチタン（Ｔｉ）などで形成してもよい。
端末機本体の前面には、ディスプレイ部２１０、音響出力部２１１、前方カメラ部２１６及び信号入力部２１７が配置される。
【００７７】
ディスプレイ部２１０は、情報を視覚的に表示するＬＣＤ（Liquid Crystal Display）モジュール、ＯＬＥＤ（Organic Light Emitting Diodes）モジュール、電子ペーパーなどを含む。ディスプレイ部２１０は、タッチ方式で入力できるように、タッチ感知手段を含んでもよい。以下、タッチ感知手段を含むディスプレイ部を「タッチスクリーン」という。タッチスクリーン２１０がタッチされると、そのタッチされた位置に対応する内容が入力される。タッチ方式で入力される内容は、文字、数字、各種モードの指示、又は指定可能なメニュー項目などである。タッチ感知手段は、ディスプレイ部の表示内容が見えるように透光性に形成され、明るい所でタッチスクリーンの視認性を向上させるための構造を含んでもよい。図２によれば、タッチスクリーン２１０はフロントケース２０１の前面の大部分を占める。
【００７８】
音響出力部２１１は、通話音をユーザの耳に伝えるレシーバ、各種アラーム音やマルチメディアの再生音を出力するラウドスピーカの形態で実現してもよい。
前方カメラ部２１６は、テレビ電話モード又は撮影モードでイメージセンサにより得られる静止画像又は動画像などの画像フレームを処理する。
【００７９】
そして、前方カメラ部２１６で処理された画像フレームは、タッチスクリーン２１０に表示することができる。また、前方カメラ部２１６で処理された画像フレームは、メモリ１６０に保存し、また、無線通信部１１０により外部に伝送することもできる。前方カメラ部２１６は、使用環境に応じて２つ以上備えてもよい。
【００８０】
信号入力部２１７は、移動端末機２００の動作を制御するための命令を入力するために操作するものであり、複数の入力キーを含んでもよい。入力キーは、操作部ともいい、触知式（tactile manner）であればいかなる方式も採用可能である。
【００８１】
例えば、信号入力部２１７は、ユーザのプッシュ又はタッチ操作により命令又は情報を入力するドームスイッチ、タッチスクリーン、タッチパッドで実現してもよく、キーを回転させるホイール又はジョグ方式やジョイスティックのように操作する方式で実現してもよい。信号入力部２１７により入力される内容は様々に設定可能である。例えば、開始、終了、スクロールなどを入力するためのものであってもよい。
一方、フロントケース２０１の側面には、サイドキー２１４、音響入力部、インタフェース部などが配置される。
【００８２】
サイドキー２１４は、操作ユニットともいい、移動端末機２００の動作を制御するための命令を入力できるようになっている。サイドキー２１４は、触知式であればいかなる方式も採用可能である。サイドキー２１４により入力される内容は様々に設定可能である。例えば、サイドキー２１４により、画像入力部（前方カメラ部２１６、後方カメラ部２２１）の制御、音響出力部２１１から出力される音響のボリューム調整、又はタッチスクリーン２１０のタッチ認識モードへの移行などの命令を入力することができる。
音響入力部は、ユーザの音声、その他の音などを入力できるように、例えばマイクロホンなどの形態で実現してもよい。
【００８３】
インタフェース部は、移動端末機２００が外部機器とデータ交換などを行えるようにする通路となる。例えば、インタフェース部は、有線又は無線でイヤホンを接続するための接続端子、近距離通信のためのポート（例えば、赤外線ポート（IrDA port）、ブルートゥースポート、無線ＬＡＮポートなど）、又は移動端末機２００に電源を供給するための電源供給端子の少なくとも１つである。インタフェース部は、ＳＩＭ、ＵＩＭ、情報を保存するためのメモリカードなどの外部カードを収容するソケットの形態で実現してもよい。
【００８４】
端末機本体の背面には、電源供給部２６０、後方カメラ部２２１が配置される。
さらに、端末機本体の背面には、後方カメラ部２２１に隣接してフラッシュ２２２及びミラー（図示せず）が配置されてもよい。フラッシュ２２２は、後方カメラ部２２１で被写体を撮影する場合、被写体に向けて光を照射する。ミラーは、ユーザが後方カメラ部２２１でユーザ自身を撮影する場合（セルフ撮影）、ユーザの顔などを映せるようにする。
【００８５】
後方カメラ部２２１は、端末機本体の前面に配置される前方カメラ部２１６とは撮影方向が実質的に反対であり、前方カメラ部２１６とは画素が異なるカメラであってもよい。例えば、前方カメラ部２１６は、テレビ電話などの場合にユーザの顔を撮影して相手に伝送するのに負担にならない低画素であり、後方カメラ部２２１は、一般的な被写体を撮影し、直ちに伝送しないことが多いため、高画素であることが好ましい。前方カメラ部２１６及び後方カメラ部２２１は、回転又はポップアップ可能に端末機本体に設置してもよい。
【００８６】
電源供給部２６０は、移動端末機２００に電源を供給する。電源供給部２６０は、端末機本体に内蔵されるように構成されてもよく、端末機本体の外部に着脱可能に構成されてもよい。
【００８７】
図４は図３に示す移動端末機の分解斜視図であり、図５Ａは図４においてソケットが形成される部分の分解斜視図であり、図５Ｂは図５Ａの各部品が結合された状態の斜視図である。
【００８８】
図４〜図５Ｂに示すように、フロントケース２０１とリアケース２０２とにより形成される端末機本体の内部空間には回路基板２７０が配置される。回路基板２７０は、同図に示すようにリアケース２０２に取り付けられてもよく、内部構造物に取り付けられてもよい。回路基板２７０は、移動端末機２００の各種機能を動作させるための制御部の一例として構成される。
【００８９】
回路基板２７０の一面には、回路基板２７０に電気的に接続されるディスプレイ２１０ｂが配置される。ディスプレイ２１０ｂは、ウィンドウ２１０ａの光が透過する領域に対応する面積を有するようにしてもよい。これにより、ユーザはディスプレイ２１０ｂから出力される視覚情報を外部から認知できる。
【００９０】
端末機本体の内部空間には、回路基板２７０に電気的に接続され、外部機器を接続できるように形成されるソケット２４１が配置される。以下、ソケット２４１及びスライドタイプのソケット開閉構造としてのスライドドア２３０が端末機本体の側面に配置される場合を説明するが、本発明は、これに限定されるものではない。例えば、ソケット２４１及びスライドドア２３０は端末機本体の背面に配置されてもよい。
【００９１】
ソケット２４１に挿入される外部機器としては、ＳＩＭカードが挙げられる。ＳＩＭカードとは、個人情報を保存できるカードをいう。また、ソケット２４１には、ＴフラッシュカードをはじめとするマイクロＳＤなどのメモリカード、ＭＳＭ（Mobile Station Modem）チップなどのモデム用チップを挿入することができる。さらに、ソケット２４１には、マルチメディアインタフェース（Multimedia Interface; MMI）コネクタなどの充電用ポート、通話イヤホン用ポート、又はデータケーブル用ポートなどのインタフェース装置を挿入することができる。
【００９２】
ソケット２４１は、フロントケース２０１又はリアケース２０２のいずれか一方のケースに形成されたスロット２０１ａから露出する。以下、説明の便宜上、フロントケース２０１とリアケース２０２を区分せずにケース２０１と称する。
【００９３】
ケース２０１、とりわけソケット２４１に対応する位置には、ソケット２４１を外部に露出させることができるように、スロット２０１ａが形成される。スロット２０１ａは一方向に延設される。例えば、スロット２０１ａは、端末機本体の縁部を形成するケース２０１の側面に沿って延設されてもよい。
【００９４】
端末機の内部を支持するように形成されるフレーム２４０には、ソケット２４１を収容する空間を形成する収容部２４２が備えられる。収容部２４２は、図５Ａに示すように周辺より突設されてソケット２４１を収容する空間を形成してもよく、フレーム２４０の一面からリセスされてソケット２４１を収容する空間を形成してもよい。収容部２４２は、ソケット２４１に外力が加わっても強固に固定できるように、ソケット２４１の少なくとも一面を支持する。
【００９５】
ケース２０１内には、スライドドア２３０がスライド移動可能に収容される。スライドドア２３０は、いずれか一方向にスライド移動してソケット２４１を外部に露出、又は、遮蔽するように形成される。
【００９６】
スライドドア２３０は、ベース２３１及び操作部２３３を含んでもよい（図６Ａ〜図６Ｃ参照）。ベース２３１は、薄い板状に形成され、スライド移動によりスロット２０１ａを開閉するように形成される。操作部２３３は、ベース２３１から突設されてスロット２０１ａに挿入され、スロット２０１ａの内部でスライド移動可能になっている。よって、ユーザは操作部２３３をスライド移動させることでスロット２０１ａを容易に開閉することができる。
【００９７】
ガイド部２５０は、スライドドア２３０に結合されてスライドドア２３０のスライド移動を支持するように形成される。ガイド部２５０は、収容部２４２と装着溝を形成するケース２０１の内側壁との間に嵌める方式で固定してもよい。あるいは、ガイド部２５０の固定のためにフック構造を用いてもよい。ガイド部２５０は、スライドドア２３０のスライド移動経路を形成する。
【００９８】
以下、スライドドア２３０及びガイド部２５０の詳細構成とそれらのメカニズムについてより具体的に説明する。
図６Ａは図５Ａに示すスライドドアの分解斜視図であり、図６Ｂは図５Ａに示すスライドドアの正面斜視図であり、図６Ｃは図５Ａに示すスライドドアの背面斜視図であり、図７は図５Ａに示すガイド部の拡大図である。
【００９９】
図５Ａ〜図７を参照すると、スライドドア２３０は、ガイド部２５０上でスライド移動可能に形成される。スライドドア２３０は、金属材で形成してもよく、合成樹脂で形成してもよい。また、スライドドア２３０は、合成樹脂を主材料として金属材を一部含むように形成してもよく、金属材を主材料として合成樹脂を一部含むように形成してもよい。
スライドドア２３０は、ベース２３１、操作部２３３、レール部２３２、及びストッパ２３６を含んでもよい。
【０１００】
ベース２３１は薄い板状に形成される。ベース２３１の一面には、ソケット２４１に接続される外部機器の種類を表示するように、表示部２３４が形成されてもよい。表示部２３４は、ベース２３１の一面に陰刻又は陽刻で形成されてもよい。
表示部２３４は、外部機器のいずれか１つを表示する記号、文字、又は図形などのパターンを備えてもよい。
【０１０１】
ベース２３１の背面には支持部２３５が形成されてもよい。支持部２３５は、薄い接着シートで形成されてもよい。接着シートとしてはテフロンテープが挙げられる。ベース２３１は、薄い板状に形成されるので、ユーザにより端末機の内側に向かって押圧された部分が変形することがある。本実施形態のように、ベース２３１の背面に支持部２３５が形成された場合は、支持部２３５を構成する各部分間で作用する弾性力及び復元力により、ベース２３１の変形を低減又は防止することができる。つまり、支持部２３５は、ベース２３１が変形しないように支持する役割を果たす。
【０１０２】
レール部２３２はベース２３１の背面に結合される。これにより、スロット２０１ａからレール部２３２が見えないように形成されるので、外観の統一を図ることができる。それだけでなく、レール部２３２が外部に露出しないので、埃などがレールに溜まってスライド動作を妨げることを防止することができる。レール部２３２は、ベース２３１に一体に形成されてもよく、溶接などの工程でベース２３１に一体に結合されてもよい。
【０１０３】
レール部２３２は、ガイド部２５０の少なくとも一部を囲むように形成されるレール２３２ａを含む。レール２３２ａは、ベース２３１の両側端でガイド部２５０を囲むように折り曲げられる。レール２３２ａは、ガイド部２５０の側面の厚さに対応する厚さを有する。レール２３２ａは、図６Ｃに示すように、レール部２３２の主面から厚さ方向に折り曲げられて延び、さらにガイド部２５０を囲むように折り曲げられる。また、レール２３２ａは、ガイド部２５０との摩擦を低減するために、一方向に開口する部分を備える。
【０１０４】
レール部２３２は、ガイド部２５０と面接触するように形成されるのではなく、ガイド部２５０の両側端を囲むように形成されるので、レール部２３２を含むスライドドア２３０の面積を他の構造より縮小させることができる。つまり、スライドドア２３０の面積は端末機の厚さに対応するので、スライドドア２３０の面積を縮小させただけ端末機の厚さを薄くすることができる。
【０１０５】
ストッパ２３６はレール２３２ａ間に形成される。ストッパ２３６は、レール部２３２の一側でガイド部２５０に形成された溝２５２、２５３に向かって折り曲げられる。ストッパ２３６は、弾性的に変形する片持ち梁（カンチレバー）状に形成されてもよい。
ストッパ２３６は、ガイド部２５０の溝２５２、２５３に弾性的に挟まれることにより、スライドドア２３０がスライド移動した状態でその位置を維持できるようにする。ここで、スライドドア２３０が所定以上の力で押され、又は引っ張られると、ストッパ２３６と溝２５２、２５３との結合が解除され、スライドドア２３０がいずれか一方向にスライド移動することができる。ガイド部２５０の溝２５２、２５３に接触するストッパ２３６の一部分は、くさび状（Ｖ字状又はＵ字状）に形成されてもよい。
【０１０６】
操作部２３３は、ベース２３１の正面から円柱状に突設される。
操作部２３３の正面には、複数の円形の溝状に陰刻される多重同心円パターンが形成されてもよい。多重同心円パターンは、一面にレーザを照射して溝を加工する方式で形成されてもよい。デザイン的な工夫により、操作部２３３は、一般的な滑らかな曲面で形成されてもよい。しかし、この場合、ソケット２４１を露出又は遮蔽する動作を行う際に、ユーザが指で操作部２３３の正面を横方向に押す、又は引っ張るときの表面摩擦が低減されて、動作が正常に行われないことがある。本実施形態のように、操作部２３３の正面に多重同心円パターンが形成された場合は、指との摩擦力を増加させることでユーザがより容易に操作部２３３を操作できるようにする。
【０１０７】
操作部２３３の背面には突起が形成される。突起に対応して、ベース２３１には貫通孔２３１ａが備えられる。ベース２３１の貫通孔２３１ａに操作部２３３の突起を挿入結合して溶接工程を行うことにより、ベース２３１と操作部２３３とを一体に形成してもよい。
【０１０８】
ガイド部２５０は、端末機本体に結合され、スロット２０１ａに隣接して配置される。特に、本発明の一実施形態によるガイド部２５０は、フロントケース２０１とリアケース２０２との間で端末機の内部を支持するように形成されるミドルフレーム（図示せず）に結合されてもよい。
【０１０９】
ガイド部２５０は、スライドドア２３０のスライド移動位置に対応する第１溝２５２及び第２溝２５３を備える。第１溝２５２は、スロット２０１ａに隣接して形成され、第２溝２５３は、第１溝２５２に比べてスロット２０１ａから離隔して形成される。ストッパ２３６の一端が第１溝２５２に挿入された状態は、スライドドア２３０がソケット２４１を遮蔽した状態であり、ストッパ２３６の一端が第２溝２５３に挿入された状態は、スライドドア２３０がソケット２４１を露出させた状態である。
【０１１０】
ガイド部２５０は、一面からリセスされ、第１溝２５２と第２溝２５３を通る長手方向に延びる溝レールを備えてもよい。また、ストッパ２３６の一端が溝レールに沿って移動するようにしてもよい。
【０１１１】
ベース２３１と接触するガイド部２５０の一面には潤滑部材２５１が形成される。潤滑部材２５１により、ベース２３１とガイド部２５０との摩擦力による騒音を低減することができ、円滑なスライド動作を行うことができる。潤滑部材２５１としては、表面粗さの低い素材が使用されてもよい。
【０１１２】
また、潤滑部材２５１は、不導体からなってもよい。潤滑部材２５１が不導体からなる場合、端末機本体からの熱や電気が操作部２３３に伝達されることを防止又は低減することができる。
【０１１３】
図８Ａ及び図８Ｂは本発明の一実施形態によるスライドドアの開状態及び閉状態を示す図である。
同図に示すように、ユーザが操作部２３３を横方向に押す、又は引っ張る動作を行うことにより、スロット２０１ａを開閉することができる。操作部２３３は、閉じた状態ではスロット２０１ａの一端に近接し、開いた状態ではスロット２０１ａの他端に近接する。
【０１１４】
図９は本発明の一実施形態による移動端末機の側面図である。
操作部２３３から離隔した位置には、操作部２３３と同一又は類似の多重同心円パターンを備える押圧操作部２１９が形成されてもよい。
押圧操作部２１９は、ユーザのプッシュ入力により端末機の予め設定された機能のいずれか１つを行うように形成される。
【０１１５】
操作部２３３と押圧操作部２１９とが類似に形成されることにより、端末機の全体的な美感を向上させ、端末機にデザイン的統一性を持たせる。しかしながら、前述したように、操作部２３３は、ユーザが横方向に押す、又は引っ張って外部機器を接続するためのスロット２０１ａを開閉するものであるのに対して、押圧操作部２１９は、ユーザのプッシュ入力により端末機の予め設定された機能を行うものであって、作動方式が異なる。
【０１１６】
また、操作部２３３及び押圧操作部２１９が配置される端末機の一面には、ＤＭＢ専用受信アンテナ２２４が引き出し可能に形成されてもよい。さらに、操作部２３３及び押圧操作部２１９が配置される端末機の同一平面上にイヤホンソケット２１８が配置されており、端末機にデザイン的統一性を持たせる。
【０１１７】
端末機の背面にはバッテリケース２０３が結合される。バッテリケース２０３は、端末機に装着される電源供給部２６０を覆うように形成される。電源供給部２６０は、端末機本体に一体に結合されてもよく、着脱可能に結合されてもよい。
【０１１８】
バッテリケース２０３の一側面には、グルーブ部２０３ａが形成されてもよい。グルーブ部２０３ａは、バッテリケース２０３が端末機本体に結合された状態では、内側に向かって凹んだ溝状となる。すなわち、グルーブ部２０３ａは、グルーブ部２０３ａに隣接するバッテリケース２０３の一部分と端末機本体の一部分に対して段差を有するように形成される。
【０１１９】
グルーブ部２０３ａは、周辺に対して段差を有するようにリセスされた部分であるので、周辺に比べて暗く見える。従って、端末機本体とバッテリケース２０３とは連結される部分がなく浮いているように見える。このような技術を「フローティングマス（Floating Mass）」という。
【０１２０】
また、グルーブ部２０３ａは、第１反射係数を有するように形成され、グルーブ部２０３ａに隣接するバッテリケース２０３の一部分及び端末機本体の一部分は、第２反射係数を有するように形成されてもよい。ここで、第２反射係数は第１反射係数より高くしてもよい。
【０１２１】
これにより、第１反射係数を有するグルーブ部２０３ａは周辺に比べてさらに暗く見える。このように、グルーブ部２０３ａの光反射係数を周辺に比べて低くすることにより、フローティングマス効果をさらに向上させることができる。
【０１２２】
一方、反射係数を調整する方法としては、表面粗さを調整する方法や、色を調整する方法などを用いてもよい。
【０１２３】
本発明による移動端末機は、上記実施形態の構成と方法に限定されるものではなく、各実施形態の全部又は一部を選択的に組み合わせて構成することで様々に変形することができる。
【符号の説明】
【０１２４】
２００    移動端末機
２０１    フロントケース
２０１ａ    スロット
２０２    リアケース
２０３    バッテリケース
２０３ａ    グルーブ部
２１９    押圧操作部
２３０    スライドドア
２４１    ソケット
２５０    ガイド部
２６０    電源供給部
【図１】
0005722847.tif 000002
【図２】
0005722847.tif 000003
【図３】
0005722847.tif 000004
【図４】
0005722847.tif 000005
【図５Ａ】
0005722847.tif 000006
【図５Ｂ】
0005722847.tif 000007
【図６Ａ】
0005722847.tif 000008
【図６Ｂ】
0005722847.tif 000009
【図６Ｃ】
0005722847.tif 000010
【図７】
0005722847.tif 000011
【図８Ａ】
0005722847.tif 000012
【図８Ｂ】
0005722847.tif 000013
【図９】
0005722847.tif 000014